(57)【要約】【課題】  トラヒックの増大を防ぎ、ネットワークの負荷の軽減を図ることのできる移動体通信システムの一斉呼び出し方式を提供すること。【解決手段】移動体通信端末１０１と、この移動体通信端末１０１との間で無線による交信を行うように設置された複数の無線基地局１１０〜１１２と、これらの無線基地局１１０〜１１２が接続される交換機１２０と、この交換機１２０に接続された前記移動体通信端末１０１の位置登録に関する情報を記憶するデータベース１５０を備え、交換機１２０からの一斉呼び出しのメッセージを呼び出しエリア（ＰＡ）１６０に属する全ての無線基地局１１０〜１１２Ｓに送信せずに、移動体通信端末１０１が待ち受けている確率が高い無線基地局１１０〜１１２に対してのみ送信することで、トラヒックの増大を防ぎ、ネットワークの負荷の軽減を図る。【選択図】  図１
2006210987.tif 000002
【特許請求の範囲】
【請求項１】
移動体通信端末と、この移動体通信端末との間で無線による交信を行うように設置された複数の無線基地局と、これらの無線基地局が接続される交換機と、この交換機に接続された前記移動体通信端末の位置登録に関する情報を記憶するデータベースを備え、
上記移動体通信端末は、周辺に存在する上記の無線基地局を検索し、この検索結果に基づき上記移動体通信端末が待ち受け可能な無線基地局のリスト情報を作成する無線基地局検索部と、この無線基地局検索部により作成された上記待ち受け可能基地局リスト情報を上記移動体通信端末を特定する端末ＩＤ情報とともに上記待ち受け可能な無線基地局に送信する位置登録処理部とを備え、
上記交換機は、上記端末ＩＤ情報と待ち受け可能リスト情報とを上記無線基地局経由で受信し、これらの情報とともに、上記交換機を特定する交換機ＩＤ情報を上記データベースに送信し位置登録するデータベース登録処理部と、上記移動体通信端末への着信があった場合、上記データベースにアクセスし、上記移動体通信端末の待ち受け可能基地局リスト情報に登録された複数の受け可能な無線基地局に呼び出し用のメッセージを送信する呼設定メッセージ処理部とを備えたことを特徴とする移動体通信システム。
【請求項２】
上記交換機の呼設定メッセージ処理部は、予め設定した時間内に上記着信があった移動体通信端末からの応答がなかったときは、予め設定された一斉呼び出しエリア内に存在する全ての上記無線基地局に当該呼設定メッセージを再送することを特徴とする請求項1記載の移動体通信システム。
【請求項３】
上記移動体通信端末は、着呼動作あるいは発呼動作の際、上記待ち受け可能リストも送信することを特徴とする請求項1記載の移動体通信システム。
【請求項４】
上記交換機は、上記待ち受け可能リストを受信した場合は、これに基づいて上記データベースへの位置登録を更新することを特徴とする請求項３記載の移動体通信システム。
【請求項５】
通信サービスが可能なエリアを複数の一斉呼び出しエリアに区分し、移動体通信端末への着信があった場合、当該移動体通信端末が位置登録した呼び出しエリア内に設置された複数の無線基地局に当該移動体通信端末への呼び出し用メッセージである呼設定メッセージを送信する交換機を複数備えた移動体通信システムであって、
上記移動体通信端末の位置登録に関する情報を上記無線基地局と上記交換機経由で受信し記憶するデータベースを備え、
上記移動体通信端末は、送受信可能な無線基地局を検索し、この検索結果に基づき受信レベルの高い無線基地局順に待ち受け可能な無線基地局のリストの情報である待ち受け可能リストを作成し、この待ち受け可能リストを格納する無線基地局検索部と、当該待ち受け可能リストに基づき最も受信レベルの高い無線基地局に電話番号等の自己を特定する端末ＩＤ情報と当該待ち受け可能リストを送信し位置登録する位置登録処理部とを備え、
上記交換機は、上記移動体端末からの当該端末ＩＤ情報と当該待ち受け可能リストを上記無線基地局経由で受信し、当該端末ＩＤ情報と当該待ち受け可能リストを内部記憶装置に記憶し、当該端末ＩＤ情報と当該待ち受け可能リストと自己を特定する交換機ＩＤ情報を上記データベースに送信し位置登録するデータベース登録処理部と、上記移動体通信端末への着信があった場合、上記データベースにアクセスし上記複数の交換機の内当該移動体通信端末が位置登録されている交換機を照会し、上記データベースから応答された交換機ＩＤ情報に基づき上記呼設定メッセージを当該移動体通信端末が位置登録された交換機に送信する交換機検索処理部と、上記呼設定メッセージを受信した場合、内部記憶装置に記憶した当該移動体通信端末の待ち受け可能リストに基づいて、該当する無線基地局に当該呼設定メッセージを送信する呼設定メッセージ処理部とを備えたことを特徴とする移動体通信システム。
【請求項６】
上記交換機の呼設定メッセージ処理部は、上記移動体通信端末に上記無線基地局経由で上記呼設定メッセージを送信した場合で、予め設定した時間内に当該呼設定メッセージを送信した無線基地局経由で当該移動体通信端末が当該呼設定メッセージを受信したことを示す着呼メッセージを受信しなかったときは、自己が属する呼び出しエリア内の全ての上記無線基地局に当該呼設定メッセージを再送することを特徴とする請求項５記載の移動体通信システム。
【請求項７】
上記移動体通信端末は、着呼動作あるいは発呼動作の際、上記待ち受け可能リストも送信することを特徴とする請求項５記載の移動体通信システム。
【請求項８】
上記交換機は、上記待ち受け可能リストを受信した場合は、これに基づいて上記データベースへの位置登録を更新することを特徴とする請求項７記載の移動体通信システム。
【発明の詳細な説明】
【技術分野】
【０００１】
本発明は、例えば、ＰＨＳ（Ｐｅｒｓｏｎａｌ  Ｈａｎｄｙｐｈｏｎｅ  Ｓｙｓｔｅｍ）のような、移動体通信端末（以下、ＰＳという。）と無線基地局（以下、ＣＳという）とＣＳが接続される交換機（以下、ＥＸという）等から構成される移動体通信システムに関するものである。
【背景技術】
【０００２】
従来、セルラー方式の移動体通信システムでは、限られた資源である無線周波数をできるだけ多くの利用者で共有するために、ＣＳを中心とする多数のゾーンにサービスエリアを分割している。このゾーンを小さくすることで、ゾーン内のＰＳは、当該ゾーン内に設置されたＣＳに送受信可能な程度に送受信電波のパワーを弱くすることができるため、少し離れたゾーンでも送受信に使用する電波の周波数を同じものにすることができる。このような小ゾーンの構成のシステムでは、ＰＳの所在位置を位置登録することによって、その所在位置に該当するＣＳだけにＥＸからＰＳに対して呼び出し要求する方法が提案されている。この位置登録は、複数の小ゾーンをカバーする呼び出しエリア（以下、ＰＡという。）を単位として行われる。
【０００３】
このような移動体通信システムで、ＰＳに対して着信があった場合、そのＰＳ、即ち、被着信ＰＳに対する呼び出しは、ＥＸから、通常、その被着信ＰＳが位置登録されているＰＡに属する全てのＣＳに対して一斉に呼び出しメッセージが送信される。従って、被着信ＰＳが待ち受けしていないＣＳに対してもメッセージが送信され、ネットワーク内を流れるメッセージの量は、ＰＡに属するＣＳの数に比例して多くなる。
【０００４】
イベント会場等、一時的にＰＳの利用者が多く集まる地域では、利用者の集中と通信の機会の増大により呼び出しの負荷が膨大となり、ネットワークがダウンする危険性がある。
【０００５】
これを防ぐ方法としては、ＰＡに属するＣＳの数を減らす方法があるが、ＣＳの数を減らすとＰＡあたりの面積が小さくなる為、逆にＰＡの数が増大し、位置登録のトラヒックが増えてしまう。着信のトラヒックと比較して位置登録のトラヒックは一般的に多いため、ＰＡの面積を小さくしてもネットワーク全体の負荷を軽減することは難しい。
【０００６】
この一斉呼び出しのネットワーク負荷を軽減するため、例えば、各ＰＡのＣＳが呼び出しを行う必要をなくして、複数の呼び出しエリアをカバーできるＣＳ（以下代表ＣＳ）を用意し、呼び出しは、当該代表ＣＳが行方式も知られている。
【０００７】
この方式では、呼び出しを行う代表ＣＳを設けているが、代表ＣＳは複数のＰＡをカバーする必要があるため、無線出力の大きなＣＳが必要となり、ＰＨＳの様な無線出力の小さいシステムには活用できない。また、呼び出しの不感地帯を無くすためには、例えば、建物の影になる場所に代表ＣＳを設置するなど、複数の代表ＣＳを設置する必要があり、トラヒック削減の効果が薄くなるなどの問題がある。
【０００８】
また、代表ＣＳの配下のＰＡ数を増やせば効果が期待できるが、そのためには各ＰＡの面積を小さくする必要があり、これは、ＰＡ数が増えることになり、かえって、位置登録のトラヒックを増やす結果となってしまう。
【特許文献１】特開平１１−１９６４６５号公報
【発明の開示】
【発明が解決しようとする課題】
【０００９】
そこで、本発明の目的は、ＥＸからの一斉呼び出しのメッセージをＰＡに属する全てのＣＳに送信せずに、ＰＳが待ち受けている確率が高いＣＳに対してのみ送信することで、トラヒックの増大を防ぎ、ネットワークの負荷の軽減を図ることのできる移動体通信システムを提供することにある。
【課題を解決するための手段】
【００１０】
上記課題を解決するために、本発明の移動体通信システムは移動体通信端末と、この移動体通信端末との間で無線による交信を行うように設置された複数の無線基地局と、これらの無線基地局が接続される交換機と、この交換機に接続された前記移動体通信端末の位置登録に関する情報を記憶するデータベースを備え、
上記移動体通信端末は、周辺に存在する上記の無線基地局を検索し、この検索結果に基づき上記移動体通信端末が待ち受け可能な無線基地局のリスト情報を作成する無線基地局検索部と、この無線基地局検索部により作成された上記待ち受け可能基地局リスト情報を上記移動体通信端末を特定する端末ＩＤ情報とともに上記待ち受け可能な無線基地局に送信する位置登録処理部とを備え、
上記交換機は、上記端末ＩＤ情報と待ち受け可能リスト情報とを上記無線基地局経由で受信し、これらの情報とともに、上記交換機を特定する交換機ＩＤ情報を上記データベースに送信し位置登録するデータベース登録処理部と、上記移動体通信端末への着信があった場合、上記データベースにアクセスし、上記移動体通信端末の待ち受け可能基地局リスト情報に登録された複数の受け可能な無線基地局に呼び出し用のメッセージを送信する呼設定メッセージ処理部とを備えたことを特徴とするものである。
【００１１】
また、上記本発明の移動体通信システムにおいては、上記交換機の呼設定メッセージ処理部は、予め設定した時間内に上記着信があった移動体通信端末からの応答がなかったときは、予め設定された一斉呼び出しエリア内に存在する全ての上記無線基地局に当該呼設定メッセージを再送することを特徴とするものである。
【００１２】
さらに、上記本発明の移動体通信システムにおいては、上記移動体通信端末は、着呼動作あるいは発呼動作の際、上記待ち受け可能リストも送信することを特徴とするものである。
【００１３】
さらに、上記本発明の移動体通信システムにおいては、上記交換機は、上記待ち受け可能リストを受信した場合は、これに基づいて上記データベースへの位置登録を更新することを特徴とするものである。
【００１４】
また、上記課題を解決するために本発明の移動体通信システムは、通信サービスが可能なエリアを複数の呼び出しエリアに区分し、移動体通信端末への着信があった場合、当該移動体通信端末が位置登録した呼び出しエリア内に設置された複数の無線基地局に当該移動体通信端末への呼び出し用メッセージである呼設定メッセージを送信する交換機を複数備えた移動体通信システムであって、上記移動体通信端末の位置登録に関する情報を上記無線基地局と上記交換機経由で受信し記憶するデータベースを備え、上記移動体通信端末は、送受信可能な無線基地局を検索し、この検索結果に基づき受信レベルの高い無線基地局順に待ち受け可能な無線基地局のリストの情報である待ち受け可能リストを作成し、この待ち受け可能リストを格納する無線基地局検索部と、当該待ち受け可能リストに基づき最も受信レベルの高い無線基地局に電話番号等の自己を特定する端末ＩＤ情報と当該待ち受け可能リストを送信し位置登録する位置登録処理部とを備え、上記交換機は、上記移動体端末からの当該端末ＩＤ情報と当該待ち受け可能リストを上記無線基地局経由で受信し、当該端末ＩＤ情報と当該待ち受け可能リストを内部記憶装置に記憶し、当該端末ＩＤ情報と当該待ち受け可能リストと自己を特定する交換機ＩＤ情報を上記データベースに送信し位置登録するデータベース登録処理部とを備え、上記移動体通信端末への着信があった場合、上記データベースにアクセスし上記複数の交換機の内当該移動体通信端末が位置登録されている交換機を照会し、上記データベースから応答された交換機ＩＤ情報に基づき上記呼設定メッセージを当該移動体通信端末が位置登録された交換機に送信する交換機検索処理部と、上記呼設定メッセージを受信した場合、内部記憶装置に記憶した当該移動体通信端末の待ち受け可能リストに基づいて、該当する無線基地局に当該呼設定メッセージを送信する呼設定メッセージ処理部とを備えたことを特徴とするものである。
【発明の効果】
【００１５】
以上説明したように、本発明によれば、着信時ＰＡ内の全ＣＳに対して呼設定メッセー
ジを送信せず、ＰＳが待ち受けしている可能性が高い基地局に対してのみ、呼設定メッセージを送信する為、着信時のネットワークの負荷を軽減することができる。
【００１６】
また、着信時の負荷を減らす為にＰＡを小さくする必要が無い為、位置登録のトラヒッ
クが増えることが無い。
【発明を実施するための最良の形態】
【００１７】
以下本発明の実施形態につき詳細に説明する。以下の実施形態においては、移動体通信システムとしてＰＨＳを例にとり説明する。図１は、本発明の一実施例を示す、ネットワーク構成図である。
【００１８】
ネットワークは、移動体通信端末であるＰＳ（１０１）、ＰＳ（１０１）と無線により通信可能なエリアを有する無線基地局であるＣＳ１（１１０）、ＣＳ２（１１１），ＣＳ３（１１２）と、ＣＳ１（１０１）等が接続され、これらＣＳ１（１０１）等経由でＰＳ（１０１）と送受信可能な交換機であるＥＸ１（１２０）、ＰＳ（１０１）の位置登録情報をＣＳ１（１０１）等の各ＣＳとＥＸ１（１２０）経由で受信し、この位置登録情報を記憶するデータベースであるＤＢ（１５０）から構成される。
【００１９】
また、ＥＸ１は、図６のように、その内部に内部記憶装置１２１、データベース登録処理部１２２、交換機検索処理部１２３、呼設定メッセージ処理部１２４を有し、この内部記憶装置１２１には、ＥＸ１（１２０）に接続されているＣＳとそのＣＳが接続されている電話回線の情報（例えば、ＣＳのＩＤ情報であるＣＳ−ＩＤと電話番号の対応表など）が予め記憶されているものとする。
【００２０】
ここで、ＣＳ１〜ＣＳ３は、ＥＸ１の呼び出しエリアであるＰＡ（１０６）に属しているＣＳである。
【００２１】
ＥＸ１（１２０）は、他のネットワーク等に属している交換機ＥＸ２（１３０）とも接続されている。本実施例では、ＥＸ２（１３０）は有線電話用の交換機とする。ＥＸ２（１３０）には、有線電話であるＴＥＬ（１４０）が接続されている。また、ＥＸ２（１３０）は、ＥＸ１（１２０）と同様、図７のように、その内部に内部記憶装置１３１、データベース登録処理部１３２、交換機検索処理部１３３、呼設定メッセージ処理部１３４を有している。
【００２２】
以下では、これらの各構成に基づいた動作を接続処理シーケンスとして説明する。
【００２３】
まず、ＰＳ（１０１）の位置登録時の動作から説明する。ＰＳ（１０１）は、図5のように、無線基地局検索部１０２と位置登録処理部１０３を備え、また、図示しない中央処理装置（Central Processing Unit：以下、ＣＰＵという。）も備えており、ＲＯＭ（Read Only Memory）などの所定の記憶装置に格納されたプログラムに基づいて、ＰＳ（１０１）の位置登録等の制御を実行する。また、ＣＳ１（１１０）、ＣＳ２（１１１），ＣＳ３（１１２）、ＥＸ１（１２０）、ＥＸ２（１３０）、ＤＢ（１５０）も同様に図示しないＣＰＵを備えており、ＲＯＭ等の所定の記憶装置に格納されたプログラムに基づいて各種制御を実行する。
【００２４】
ＰＳ（１０１）は、他のＰＡからＰＳ（１０１）が本実施例による移動体通信システムで構成されるＰＡ（１０６）に移動した場合、または、ＰＡ（１０６）内でＰＳ（１０１）の電源をＯＮにした場合に位置登録を行う。その際の各構成の動作については、図２の接続処理シーケンスを用いて以下に説明する。
【００２５】
ＰＳ（１０１）は上記のような場合で位置登録動作を行うが、ＰＳ（１０１）は、まず、最初に無線基地局検索部１０２により周辺ＣＳのサーチを行う（２０１）。
【００２６】
無線基地局検索部１０２のサーチ結果により、待ち受け可能なＣＳが見つかった場合は、受信レベルの高い順から数局、そのＣＳを特定するＣＳ−ＩＤ情報（例えばＣＳ−ＩＤ等の情報を含む。）を使って待ち受け可能なＣＳのリスト情報である待ち受け可能ＣＳリストを作成し、無線基地局検索部１０２に格納する（２０２）。
【００２７】
この場合、周辺基地局をサーチした結果がＣＳ１（１１０）、ＣＳ２（１１１）の順に受信レベルが高く、ＣＳ３（１１２）の電波は受信できなかったものとすると、ＰＳ（１０１）は、待ち受け可能なＣＳの第１候補としてＣＳ１（１１０）、第２候補としてＣＳ２（１１１）とした待ち受け可能ＣＳリストを作成し、無線基地局検索部１０２に格納する。
【００２８】
次に、ＰＳ（１０１）は、位置登録処理部１０３により受信レベルが最も高かったＣＳ１（１１０）に対して位置登録動作を行う。この時、位置登録処理部１０３は、ＰＳ（１０１）を特定するＰＳ−ＩＤ情報（電話番号など）と上記格納した待ち受け可能ＣＳリストも同時に送信する（２０３）。
【００２９】
ＣＳ１（１１０）は、ＰＳ（１０１）より受信したＰＳ−ＩＤ情報と待ち受け可能リスト等を含む位置登録情報をＥＸ１（１２０）へ送信する（２０３）。ここで、ＥＸ１（１２０）は、データベース登録処理部１２２により、位置登録情報を受け取ると、ＰＳ（１０１）の電話番号と（２０４）で送信された待ち受け可能ＣＳリストを内部記憶装置（１２１）へ記憶する。
【００３０】
次に、ＥＸ１（１２０）は、ネットワーク内のＤＢ（１５０）に対して、データベース登録処理部１２２により位置登録情報と自己を特定する交換機ＩＤ情報の送信を行う。（２０５）位置登録情報と交換機ＩＤ情報を受信したＤＢ（１５０）は、この位置登録情報と交換機ＩＤ情報をデータベースに登録する（２０６）。
【００３１】
位置登録情報の登録が正常に完了すると、ＤＢ（１５０）は、ＥＸ１（１２０）に対して位置登録情報の登録が正常に完了したことを通知する位置登録応答（２０７）を送信する。これを受信したＥＸ１（１２０）は、ＣＳ１（１１０）に対して、位置登録応答（２０８）を送信する。これを受信したＣＳ１（１１０）は、ＰＳ（１０１）へ位置登録応答を送信する（２０８）。
【００３２】
次に、ＰＳ（１０１）へ着信があった時の各構成の動作について、図３の接続処理シーケンスを用いて以下に説明する。
【００３３】
ＴＥＬ（１４０）は、ＰＳ（１０１）と通信を行う為、ＰＳ（１０１）に対して発信するため（ＰＳ（１０１）側は着信となる。）呼設定メッセージ（３０１）を接続されている交換機であるＥＸ２（１３０）に送信する。
【００３４】
ＥＸ２（１３０）は、呼設定メッセージの内容からＴＥＬ（１４０）の通信相手先であるＰＳ（１０１）の情報を取得し、このＰＳ（１０１）が位置登録されているＰＡ（１０６）が何処か、交換機検索処理部１３３により、ＤＢ（１５０）に対して問い合わせを行う（３０２）。
【００３５】
ＤＢ（１５０）は、ＰＳ（１０１）の位置登録情報に対応する交換機ＩＤ情報に基づいて位置登録されているＰＡ（１０６）の情報をＥＸ２（１３０）へ返送する（３０３）。
【００３６】
ＥＸ２（１３０）の交換機検索処理部１３３は、ＤＢ（１５０）から応答により交換機ＩＤ情報を受信し、通信相手先端末であるＰＳ（１０１）がＥＸ１（１２０）のＰＡ（１０６）に位置登録されていると判断し、呼設定メッセージをＥＸ１（１２０）へ送信する（３０４）。
【００３７】
ＥＸ１（１２０）の呼設定メッセージ処理部１２４は、ＥＸ２（１３０）から呼設定メッセージを受信すると、当該メッセージの中からＰＳ（１０１）の電話番号を抽出し、その電話番号をキーとして内部記憶装置（１２１）を検索し、ＰＳ（１０１）の待ち受け可能ＣＳリストを検索する。（３０５）。
【００３８】
ＥＸ１（１２０）の呼設定メッセージ処理部１２４は、この検索結果に基づき、ＰＳ（１０１）が待ち受けしている可能性の高い基地局（ＣＳ１，ＣＳ２）に対して呼設定メッセージを同時に送信する（３０６）（３０７）。
【００３９】
また、ＥＸ１（１２０）の呼設定メッセージ処理部１２４は、ＰＳ（１０１）が応答しなかった場合に備えて、呼設定メッセージの送信（３０６）（３０７）と同時に図示しない呼設定受付待ちタイマーにより、呼設定受付待ちタイマーを開始する（３１６）。
【００４０】
ＥＸ１（１２０）から呼設定を受信したＣＳ１（１１０）、ＣＳ２（１１２）は、着呼を知らせるメッセージをＰＳ（１０１）に対して無線で送信する（３０８）（３０９）。
【００４１】
ＣＳ１（１１０）に待ち受けしているＰＳ（１０１）は、ＣＳ１（１１０）からの着呼
メッセージ（３０９）を受信すると、ＣＳ１（１１０）に対して着呼応答（３１０）を送信する。
【００４２】
ＣＳ１（１１０）は、ＰＳ（１０１）からの着呼応答を受信するとＰＳ（１０１）に対して呼設定メッセージを送信する（３１１）。
【００４３】
呼設定メッセージ（３１０）を受信したＰＳ（１０１）は、ＣＳ１（１１０）に対して呼設定受付メッセージ（３１２）を送信する。この時、呼設定受付メッセージにＰＳ（１０１）が記憶しているＣＳ情報を添付して送信する。
【００４４】
ＣＳ１（１１０）は、呼設定受付メッセージをＥＸ１（１２０）に対して送信する（３１３）。
【００４５】
ＥＸ１（１２０）は、ＣＳ１（１１０）から受信した呼設定受付メッセージに添付されているＣＳ情報を解析し、内部記憶装置（１２１）に記憶しているＣＳ情報を更新する（３１５）。
【００４６】
その後、ＥＸ１（１２０）は呼設定受付メッセージをＥＸ２（１３０）へ送信する（３１４）。ＥＸ２（１３０）は、呼設定受付メッセージをＴＥＬ（１４０）へ送信する（３１５）。以降、プロトコルに従って接続処理を進める。
【００４７】
次に、ＰＳ（１０１）の移動により、ＰＳ（１０１）がＣＳ１（１１０）以外に待ち受けしている時の各構成の動作について、図４の接続処理シーケンス（一部図３を用いる）を用いて以下に説明する。
【００４８】
ＰＳ１（１０１）が同一ＰＡ（１０６）内のほかの場所へ移動し、ＣＳ１（１１０）以外のＣＳ（ＣＳ３（１１２））へ待ち受けている場合、上記方式では着信があることをＰＳ（１０１）へ送信することができない。
【００４９】
この場合、ＰＳ（１０１）から呼設定受付メッセージ（３１０）が送信されない為、結果としてＥＸ１（１２０）にて呼設定受付待ちタイマー（３１６で開始）がタイムアウトする。
【００５０】
ＥＸ１（１２０）の呼設定メッセージ処理部１２４は、このタイムアウトを機にＰＡ内の全ＣＳに対して呼設定メッセージを再送することで、ＣＳ３（１１２）へも着呼の送信を行う様にする。
【００５１】
ＴＥＬ（１４０）が発呼動作を開始し、ＣＳ１（１１０）、ＣＳ２（１１１）が着呼メッセージを無線で送信するまでの動作は「ＰＳに着信があった場合」と同様（４０１〜４１０）である。
【００５２】
ＰＳ（１０１）は、ＣＳ３（１１１）に待ち受けている為、この時点では着信があったことがわからない為、ＥＸ１（１２０）へは呼設定受付メッセージが送信されない。よって、呼設定受付待ちタイマーがタイムアウトする（４１１）。
【００５３】
ＥＸ１（１２０）の呼設定メッセージ処理部１２４は、このタイムアウトにより、ＰＳ（１０１）が移動した可能性があると判断し、ＰＡ（１０６）内の全ＣＳ（ＣＳ１〜ＣＳ３）に対して呼設定メッセージを送信する（４１２〜４１４）。また、この時、ＰＳ（１０１）が電源ＯＦＦ状態、または電波が届かない場所に居る場合等に備えて、呼設定受付待ちタイマーを起動する（４１８）。
【００５４】
ＣＳ３（１１２）は、ＥＸ１（１２０）からの呼設定メッセージの受信により、着信を無線でＰＳ（１０１）に送信する（４１５）。
【００５５】
ＰＳ（１０１）は、ＣＳ３（１１２）からの着信メッセージにより着信応答を返信し、着信動作を行う（４１９〜４２２）。
【００５６】
呼設定受付メッセージを受信したＥＸ１（１２０）は、ＰＳ（１０１）の待ち受け可能ＣＳリストのＣＳ情報の更新を行う（４２３）。
【００５７】
ＰＳ（１０１）では、移動した際にＰＳ（１０１）内の待ち受け可能ＣＳリストを更新するようにすれば、上記ＣＳ情報の更新動作（４２３）によって、ＥＸ１（１２０）の内部記憶装置（１２１）のＰＳ（１０１）の待ち受け可能ＣＳリストが更新されることになる。即ち、ＣＳ３（１１２）に待ち受けている情報が書き込まれる。
【００５８】
以降の動作については、上記と同様（４２４〜４２６）である。
【００５９】
次に、ＰＳ（１０１）が移動した際のＰＳの動作について説明する。
【００６０】
ＰＳ（１０１）は、移動によって待ち受けしているＣＳが、ＰＳ（１０１）内の待ち受け可能ＣＳリスト以外のＣＳに変わった場合、無線基地局検索部１０２により、自己の待ち受け可能ＣＳリストの書き換えを行う。
【００６１】
これにより、ＰＳ（１０１）内の待ち受け可能ＣＳリストは常に新しい情報へ更新できることになる。
【００６２】
次に、ＰＳ（１０１）が更新した待ち受け可能ＣＳリストを効率よくＣＳ等に通信する方法について説明する。まず、ＰＳ（１０１）が発呼を行った時、即ち他のＰＳやＴＥＬ（１４０）等に通信する際、呼設定メッセージに更新された待ち受け可能ＣＳリストを添付して送信するようにする。
【００６３】
これにより、ＣＳ経由で上記呼設定メッセージと共に待ち受け可能ＣＳリストを受信したＥＸ１（１２０）は、発呼動作の際も内部記憶装置（１２１）の更新を行うことで、ＤＢ（１５０）の情報を常に新しいものとすることができる。また、この動作により、着呼動作においてＰＳ（１０１）から応答が無い場合の再送（全ＣＳへの呼設定メッセージの送信）を行う回数を減らすことができる。
【００６４】
次に、ＰＳ（１０１）が本実施例による移動体通信システムで構成されるＰＡから他のＰＡに移動した場合の各構成の動作について説明する。ＰＳ（１０１）が移動したことはＥＸ１（１２０）では検出できない為、内部記憶装置（１２１）にＰＳ（１０１）の情報がいつまでも残ってしまう可能性がある。これを防止する為にＤＢ（１５０）では情報のライフタイム（有効期限）を予め設けておき、これを越えた情報は削除するようにする。
【００６５】
しかし、長時間、発呼、着呼が無いＰＳについては、着信があった時にＤＢ（１５０）に当該ＰＳの情報が無い場合が発生する。このＤＢ（１５０）に当該ＰＳの情報が無い場合は、ＰＡ内の全ＣＳに対して着信の呼設定メッセージを送信することで、当該ＰＳへの着信の送信漏れを防止する。
【００６６】
また、この場合は、呼設定受付メッセージ受信時のＤＢ（１５０）内の待ち受け可能ＣＳリスト更新動作によって、待ち受け可能ＣＳリストのＣＳ情報が更新される為、以降は更新されたＣＳ情報に従っての着信動作を行うことができるようになる。
【００６７】
また、上記本発明の一実施例では、ＰＨＳシステムの場合について説明したが、ＰＨＳ以外の移動体通信及び、着信において被着信ＰＳが位置登録されているエリアに対して一斉呼び出しを行う通信システムにおいては、上記発明を用いることで、着信時の負荷を軽減することができる。
【００６８】
また、本発明の変形例として、ＥＸにおいて、常にＣＳとの間のトラヒックを監視し、ＰＳに対する呼び出しを行う際、ＥＸが記憶しているＣＳ情報の中からトラヒック量の少ないＣＳを選択する手段を備えれば、特定のＣＳへの負荷集中を避けることができ、また、ネットワーク内のリソースの有効利用を図ることができる。
【００６９】
イベント会場などの様に、一時的に人（ＰＳ）が集中するような場合、上記例のシステムとイベント会場内に出力を絞ったＣＳを複数台用意することで、同じ会場内のＰＳでも場所により異なったＣＳへ待ち受けさせることが可能となり、特定のＣＳに対する負荷集中を避けることができる。
【００７０】
また、内線交換機と移動体通信を組み合わせたシステムにおいても、上記例のような方法をとることで、着信の処理における内線交換機及びネットワークの負荷を軽減することができる。
【００７１】
このように構成された本発明の実施形態にかかる移動体通信システムによれば、着信時ＰＡ内の全ＣＳに対して一斉呼び出し用の呼設定メッセージを送信せず、ＰＳが待ち受けしている可能性が高い基地局に対してのみ、呼設定メッセージを送信する為、着信時のネットワークの負荷を軽減することができる。また、着信時の負荷を減らす為にＰＡを小さくする必要が無い為、位置登録のトラヒックが増えることが無い。
【００７２】
また、上記本発明の移動体通信システムによれば、上記交換機の呼設定メッセージ処理部は、上記移動体通信端末に上記無線基地局経由で上記呼設定メッセージを送信した場合、予め設定した時間内に当該呼設定メッセージを送信した無線基地局経由で当該移動体通信端末が当該呼設定メッセージを受信したことを示す着呼メッセージを受信しなかったときは、自己が属する呼び出しエリア内の全ての上記無線基地局に一斉呼び出し用の呼設定メッセージを再送することにより、上記の効果を得ることができる。
【図面の簡単な説明】
【００７３】
【図１】本発明の一実施例における移動体通信システムを表したネットワーク構成図である。
【図２】本発明の一実施例における移動体通信端末の位置登録時における各構成の動作を表した接続処理シーケンスである。
【図３】本発明の一実施例における移動体通信端末に着信が有ったときの各構成の動作を表した接続処理シーケンスである。
【図４】本発明の一実施例における移動体通信端末が先に位置登録した無線基地局以外に待ち受けしているときの各構成の動作を表した接続処理シーケンスである。
【図５】本発明の一実施例における移動体通信端末の内部構成を表した図である。
【図６】本発明の一実施例における交換機の内部構成を表した図である。
【図７】本発明の一実施例における交換機の内部構成を表した図である。
【符号の説明】
【００７４】
１０１…移動体通信端末（ＰＳ）
１１０〜１１２…無線基地局（ＣＳ）
１２０，１３０…交換機（ＥＸ）
１４０…有線電話（ＴＥＬ）
１５０…データベース（ＤＢ）
１６０…呼び出しエリア（ＰＡ）
【図１】
2006210987.tif 000003
【図２】
2006210987.tif 000004
【図３】
2006210987.tif 000005
【図４】
2006210987.tif 000006
【図５】
2006210987.tif 000007
【図６】
2006210987.tif 000008
【図７】
2006210987.tif 000009